【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
（ａ）アルケンポリマーおよび
（ｂ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤
のブレンドを含む高分子組成物。
【請求項２】
（ａ）金属フィルムを含む第１の層および
（ｂ）（ｉ）アルケンポリマーと、
（ｉｉ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤とのブレンドを含む高分子組成物を含む、前記第１の層上の第２の層
を含む包装フィルム。
【請求項３】
金属化性高分子組成物を調製する方法であって、
（ａ）アルケンポリマーを含むポリマーマトリックスを提供する工程、
（ｂ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤を提供する工程および
（ｃ）前記変性剤を前記ポリマーマトリックスとブレンドする工程
を含む方法。
【手続補正２】
【補正対象書類名】明細書
【補正対象項目名】００６１
【補正方法】変更
【補正の内容】
【００６１】
本発明を好ましい実施形態に関しておよび実施例において示し説明してきたけれども、他の変更、修正、追加および省略を添付クレームによって定義された本発明の本質および範囲を逸脱せずに行うことができることは当業者によって理解されるであろう。
次に、本発明の好ましい態様を示す。
1.（ａ）アルケンポリマーおよび
（ｂ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤
のブレンドを含む高分子組成物。
2.前記アルケンポリマーはプロピレンモノマーを含む、上記１に記載の高分子組成物。
3.前記アルケンポリマーはポリプロピレンである、上記１に記載の高分子組成物。
4.前記アルケンポリマーはプロピレンとエチレンのコポリマーである、上記１に記載の高分子組成物。
5.前記アルケンポリマーはプロピレンとブテンのコポリマーである、上記１に記載の高分子組成物。
6.前記アルケンポリマーはプロピレン、エチレンおよびブテンのターポリマーである、上記１に記載の高分子組成物。
7.前記無水マレイン酸グラフトエチレンコポリマーは、無水マレイン酸グラフトメタロセン超低密度ポリエチレン、無水マレイン酸グラフトメタロセン線状低密度ポリエチレンおよびチーグラーナッタ触媒から製造された無水マレイン酸グラフト線状低密度ポリエチレンからなる群から選択される、上記１〜６のいずれか１項に記載の高分子組成物。
8.前記酸モノマーはアクリル酸またはメタクリル酸であり、前記エステルモノマーはアクリル酸のアルキルエステル、アルキルアクリレート、メタクリル酸のアルキルエステル、アルキルメタクリレート、グリシジルメタクリレートまたは酢酸ビニルである、上記１〜７のいずれか１項に記載の高分子組成物。
9.前記酸グラフトプロピレンコポリマーはアクリル酸グラフトポリプロピレンである、上記１〜８のいずれか１項に記載の高分子組成物。
10.前記変性剤はポリプロピレンとエチレンコポリマーの無水マレイン酸グラフトブレンドであり、前記ポリプロピレンはエチレンとのプロピレンコポリマーであり、前記エチレンコポリマーはメタロセン超低密度ポリエチレンである、上記１〜６のいずれか１項に記載の高分子組成物。
11.前記コポリマーは４〜６重量％のエチレンモノマーを含む、上記４に記載の高分子組成物。
12.前記組成物のメルトインデックスは１〜２０である、上記１〜１１のいずれか１項に記載の高分子組成物。
13.（ａ）金属フィルムを含む第１の層および
（ｂ）（ｉ）アルケンポリマーと、
（ｉｉ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤とのブレンドを含む高分子組成物を含む、前記第１の層上の第２の層
を含む包装フィルム。
14.前記アルケンポリマーはプロピレンモノマーを含む、上記１３に記載の包装フィルム。
15.前記アルケンポリマーはポリプロピレンである、上記１３に記載の包装フィルム。
16.前記アルケンポリマーはプロピレンとエチレンのコポリマーである、上記１３に記載の包装フィルム。
17.前記アルケンポリマーはプロピレンとブテンのコポリマーである、上記１３に記載の包装フィルム。
18.前記アルケンポリマーはプロピレン、エチレンおよびブテンのターポリマーである、上記１３に記載の包装フィルム。
19.前記無水マレイン酸グラフトエチレンコポリマーは、無水マレイン酸グラフトメタロセン超低密度ポリエチレン、無水マレイン酸グラフトメタロセン線状低密度ポリエチレンおよびチーグラーナッタ触媒から製造された無水マレイン酸グラフト線状低密度ポリエチレンからなる群から選択される、上記１３〜１８のいずれか１項に記載の包装フィルム。
20.前記酸モノマーはアクリル酸またはメタクリル酸であり、前記エステルモノマーはアクリル酸のアルキルエステル、アルキルアクリレート、メタクリル酸のアルキルエステル、アルキルメタクリレート、グリシジルメタクリレートまたは酢酸ビニルである、上記１３〜１９のいずれか１項に記載の包装フィルム。
21.前記酸グラフトプロピレンコポリマーはアクリル酸グラフトポリプロピレンである、上記１３〜２０のいずれか１項に記載の包装フィルム。
22.前記変性剤はポリプロピレンとエチレンコポリマーの無水マレイン酸グラフトブレンドであり、前記ポリプロピレンはエチレンとのプロピレンコポリマーであり、前記エチレンコポリマーはメタロセン超低密度ポリエチレンである、上記１３〜１８のいずれか１項に記載の包装フィルム。
23.前記コポリマーは４〜６重量％のエチレンモノマーを含む、上記１６に記載の包装フィルム。
24.前記組成物のメルトインデックスは１〜２０である、上記１３〜２３のいずれか１項に記載の包装フィルム。
25.前記金属はアルミニウムである、上記１３〜２４のいずれか１項に記載の包装フィルム。
26.前記金属は真空蒸着アルミニウムである、上記１３〜２４のいずれか１項に記載の包装フィルム。
27.前記第１の層および第２の層は共押出される、上記１３〜２６のいずれか１項に記載の包装フィルム。
28.前記第２の層に共押出された第３の層を更に含み、前記第３の層はポリプロピレンを含む、上記１３〜２７のいずれか１項に記載の包装フィルム。
29.前記第３の層に共押出された第４の層を更に含み、前記第４の層はヒートシール性ポリプロピレンから形成される、上記２８に記載の包装フィルム。
30.前記第３の層に共押出された第４の層を更に含み、前記第４の層は、エラストマーとブレンドされたコポリプロピレン、またはゴム弾性挙動を提供するのに十分なエチレンコモノマーを有するポリプロピレン／ポリエチレンコポリマー、あるいはプロピレン／ブテン−１のコポリマー、またはブテン−１のホモポリマーから形成される、上記２８に記載の包装フィルム。
31.金属化性高分子組成物を調製する方法であって、
（ａ）アルケンポリマーを含むポリマーマトリックスを提供する工程、
（ｂ）無水マレイン酸グラフトエチレンコポリマー、酸モノマーおよび／またはエステルモノマーを含むエチレンコポリマー、酸グラフトプロピレンコポリマーおよびプロピレンコポリマーとエチレンコポリマーの無水マレイン酸グラフトブレンドからなる群から選択された変性剤を提供する工程および
（ｃ）前記変性剤を前記ポリマーマトリックスとブレンドする工程
を含む方法。
32.前記アルケンポリマーはプロピレンモノマーを含む、上記３１に記載の方法。
33.前記アルケンポリマーはポリプロピレンである、上記３１に記載の方法。
34.前記アルケンポリマーはプロピレンとエチレンのコポリマーである、上記３１に記載の方法。
35.前記アルケンポリマーはプロピレンとブテンのコポリマーである、上記３１に記載の方法。
36.前記アルケンポリマーは、プロピレン、エチレンおよびブテンのターポリマーである、上記３１に記載の方法。
37.前記無水マレイン酸グラフトエチレンコポリマーは、無水マレイン酸グラフトメタロセン超低密度ポリエチレン、無水マレイン酸グラフトメタロセン線状低密度ポリエチレンおよびチーグラーナッタ触媒から製造された無水マレイン酸グラフト線状低密度ポリエチレンからなる群から選択される、上記３１〜３６のいずれか１項に記載の方法。
38.前記酸モノマーはアクリル酸またはメタクリル酸であり、前記エステルモノマーはアクリル酸のアルキルエステル、アルキルアクリレート、メタクリル酸のアルキルエステル、アルキルメタクリレート、グリシジルメタクリレートまたは酢酸ビニルである、上記３１〜３７のいずれか１項に記載の方法。
39.前記酸グラフトプロピレンコポリマーはアクリル酸グラフトポリプロピレンである、上記３１〜３８のいずれか１項に記載の方法。
40.前記変性剤はポリプロピレンとエチレンコポリマーの無水マレイン酸グラフトブレンドであり、前記ポリプロピレンはエチレンとのプロピレンコポリマーであり、前記エチレンコポリマーはメタロセン超低密度ポリエチレンである、上記３１〜３６のいずれか１項に記載の方法。
41.前記コポリマーは４〜６重量％のエチレンモノマーを含む、上記３４に記載の方法。
42.前記組成物のメルトインデックスは１〜２０である、上記３１〜４１のいずれか１項に記載の方法。
43.前記ポリマーマトリックスと前記変性剤はいずれも樹脂である、上記３１〜４２のいずれか１項に記載の方法。
44.前記ポリマーマトリックスは樹脂であり、前記変性剤は無水マレイン酸のコンセントレートであり、前記コンセントレートは前記樹脂中にブレンドされる、上記３１〜４２のいずれか１項に記載の方法。
45.前記ブレンド工程はラジカル開始剤としての過酸化物の存在下で行われる、上記３１〜４４のいずれか１項に記載の方法。
46.前記高分子組成物の表面上にアルミニウムの層を添加する工程を更に含む、上記３１〜４５のいずれか１項に記載の方法。
47.前記アルミニウムは前記表面上に真空蒸着される、上記４６に記載の方法。